(57)【要約】【課題】部品自体が有する情報が捏造されても、部品に対する改変を管理可能とする改変通知装置及び改変管理システムを提供する。【解決手段】画像形成装置１０に装着可能なトナーカートリッジ２０に備えられる改変通知装置であって、トナーカートリッジ２０に対する改変を検知する改変検知部２０１と、改変検知部２０１により改変が検知された場合、トナーカートリッジ２０が画像形成装置１０に装着されていない状態においても、トナーカートリッジ２０を識別するための識別情報及びトナーカートリッジ２０が改変された旨を示す改変情報を外部に送信する通信部２０２と、を有し、識別情報及び改変情報は、トナーカートリッジ２０が画像形成装置１０に装着された場合に、トナーカートリッジ２０の使用を制限するか否かを判断するために用いられる。【選択図】図４
2020027200.tif 000002
【特許請求の範囲】
【請求項１】
機器に装着可能な部品に備えられる改変通知装置であって、
前記部品に対する改変を検知する改変検知部と、
前記改変検知部により改変が検知された場合、前記部品が前記機器に装着されていない状態においても、前記部品を識別するための識別情報及び前記部品が改変された旨を示す改変情報を外部に送信する通信部と、
を有し、
前記識別情報及び前記改変情報は、前記部品が前記機器に装着された場合に、前記部品の使用を制限するか否かを判断するために用いられる改変通知装置。
【請求項２】
前記部品は、電力を供給する電源を更に有し、
前記改変検知部及び前記通信部は、前記機器の電力を使用することなく、前記電源の電力により駆動する請求項１に記載の改変通知装置。
【請求項３】
機器に装着可能な部品に備えられる、請求項１または請求項２に記載の改変通知装置と、
前記改変通知装置の前記通信部から送信される前記識別情報及び前記改変情報を対応付けて管理する管理部と、
を有する改変管理システム。
【請求項４】
前記管理部は、前記部品に対して正規な改変が行なわれた場合、当該部品の識別情報に対応する前記改変情報に、正規な改変が行なわれたことを示す正規属性を付加して管理する請求項３に記載の改変管理システム。
【請求項５】
前記管理部は、前記部品に対して正規な改変が行なわれたことを示す正規情報を受信することに伴い、前記改変情報に前記正規属性を付加する請求項４に記載の改変管理システム。
【請求項６】
前記管理部は、前記機器とは別に設けられる管理サーバであり、
前記管理サーバは、前記機器に前記部品が装着された場合に、装着された前記部品の識別情報を前記機器から取得し、取得した前記識別情報に対応する前記改変情報を前記機器に送信する請求項４又は請求項５に記載の改変管理システム。
【請求項７】
前記管理部は、前記機器とは別に設けられる管理サーバであり、
前記機器に前記部品が装着された場合に、前記改変通知装置の前記通信部は、前記部品の前記識別情報を前記管理サーバに送信し、
前記管理サーバは、前記機器に前記部品が装着された場合に、前記通信部から受信した前記識別情報に対応する前記改変情報を前記改変通知装置の前記通信部に送信し、
前記通信部は、前記改変情報を前記機器に送信する請求項４又は請求項５に記載の改変管理システム。
【請求項８】
前記管理部は、前記機器に設けられ、前記機器に前記部品が装着された場合に、装着された前記部品から当該部品の識別情報を取得し、取得した前記識別情報に対応する前記改変情報を参照する請求項４又は請求項５に記載の改変管理システム。
【請求項９】
前記機器は、自身に前記部品が装着された場合、装着された前記部品の識別情報に対応する前記改変情報に前記正規属性が付加されていなければ、前記部品の使用を制限するために必要な処理を行ない、前記正規属性が付加されていれば、前記部品の使用を制限しない請求項４〜８のいずれか一項に記載の改変管理システム。
【請求項１０】
前記部品は、自身の属性を記憶する記憶部を有し、
前記機器は、前記記憶部に正規な改変が行なわれたことを示す正規属性が記憶されているか否かに関わらず、装着された部品の識別情報に対応付けられた前記改変情報に前記正規属性が付加されているか否かに基づいて、前記部品の使用を制限するために必要な処理を行なう請求項９に記載の改変管理システム。
【請求項１１】
前記機器は、ユーザに情報を通知する通知部を有し、
前記部品の使用を制限するために必要な処理は、前記通知部により、前記部品に改変がある旨を通知する処理を含む請求項９又は請求項１０に記載の改変管理システム。
【請求項１２】
前記部品の使用を制限するために必要な処理は、前記機器が、自身に装着された部品の使用を禁止する処理を含む請求項９又は請求項１０に記載の改変管理システム。
【発明の詳細な説明】
【技術分野】
【０００１】
本発明の技術は、改変通知装置及び改変管理システムに関する。
【背景技術】
【０００２】
特許文献１には、画像形成装置の本体装置に着脱交換可能に構成され、該本体装置で消費される消費材を供給する消耗品ユニットを再生利用する方法において、前記本体装置で使い終わった前記消耗品ユニットを再生施設へ回収する手順と、前記消耗品ユニットに消費材を再充填して再使用可能とする再生処理手順と、再生された消耗品ユニットに備えられる記憶手段に当該消耗品ユニットの識別情報と鍵情報により暗号化された管理情報を記録する手順と、前記識別情報、前記鍵情報及び該識別情報に対応する前記消耗品ユニットの管理情報を組み合わせて管理センター内の管理データベースに保管格納する手順と、前記再生された消耗品ユニットが画像形成装置の本体装置に装着された際、前記本体装置が前記識別情報を読み取り、読み出された該識別情報及び前記管理情報を前記管理センターへ送信する手順と、前記管理センターに送信されてきた前記識別情報と保管格納されている識別情報との一致を識別する手順と、一致確認された場合前記鍵情報を前記再生された消耗品ユニットの装着された本体装置に返信する手順と、該本体装置において、前記管理センターから返信された前記鍵情報を受信し、前記鍵情報により復号化された管理情報により前記再生された消耗品ユニットが装着された本体装置の画像形成処理動作を制御する手順とから成る消耗品ユニットを再生利用する方法が開示されている。
【先行技術文献】
【特許文献】
【０００３】
【特許文献１】特許第４４７９７６７号公報
【発明の概要】
【発明が解決しようとする課題】
【０００４】
消耗品等の機器に装着可能な部品に対する不正な改変の対策として、部品が使用済みになると、再生工場において、部品を再生する処理を行ない、更に、メモリに正規な再生であることを示す純正品識別情報を記憶させることが考えられる。この場合、再生された部品が使用される際には、部品を使用する機器は、純正品識別情報を確認して、純正品か否か判断する。
【０００５】
しかし、メモリの情報を不正に書き替えて、純正品識別情報をメモリに持たせれば、不正に再生された部品でも、純正品のように判断されてしまう。このように、部品自体に部品の正当性を表す情報等を持たせていても、そのような正当性を表す情報自体が捏造されては意味がない。
【０００６】
本発明は、部品自体が有する情報が捏造されても、部品に対する改変を管理可能とする改変通知装置及び改変管理システムを提供することを目的とする。
【課題を解決するための手段】
【０００７】
請求項１記載の発明は、機器に装着可能な部品に備えられる改変通知装置であって、前記部品に対する改変を検知する改変検知部と、前記改変検知部により改変が検知された場合、前記部品が前記機器に装着されていない状態においても、前記部品を識別するための識別情報及び前記部品が改変された旨を示す改変情報を外部に送信する通信部と、を有し、前記識別情報及び前記改変情報は、前記部品が前記機器に装着された場合に、前記部品の使用を制限するか否かを判断するために用いられる改変通知装置である。
【０００８】
請求項２記載の発明は、前記部品は、電力を供給する電源を更に有し、前記改変検知部及び前記通信部は、前記機器の電力を使用することなく、前記電源の電力により駆動する。
【０００９】
請求項３記載の発明は、機器に装着可能な部品に備えられる、請求項１または請求項２に記載の改変通知装置と、前記改変通知装置の前記通信部から送信される前記識別情報及び前記改変情報を対応付けて管理する管理部と、を有する改変管理システムである。
【００１０】
請求項４記載の発明は、前記管理部は、前記部品に対して正規な改変が行なわれた場合、当該部品の識別情報に対応する前記改変情報に、正規な改変が行なわれたことを示す正規属性を付加して管理する。
【００１１】
請求項５記載の発明は、前記管理部は、前記部品に対して正規な改変が行なわれたことを示す正規情報を受信することに伴い、前記改変情報に前記正規属性を付加する。
【００１２】
請求項６記載の発明は、前記管理部は、前記機器とは別に設けられる管理サーバであり、前記管理サーバは、前記機器に前記部品が装着された場合に、装着された前記部品の識別情報を前記機器から取得し、取得した前記識別情報に対応する前記改変情報を前記機器に送信する。
【００１３】
請求項７記載の発明は、前記管理部は、前記機器とは別に設けられる管理サーバであり、前記機器に前記部品が装着された場合に、前記改変通知装置の前記通信部は、前記部品の前記識別情報を前記管理サーバに送信し、前記管理サーバは、前記機器に前記部品が装着された場合に、前記通信部から受信した前記識別情報に対応する前記改変情報を前記改変通知装置の前記通信部に送信し、前記通信部は、前記改変情報を前記機器に送信する。
【００１４】
請求項８記載の発明は、前記管理部は、前記機器に設けられ、前記機器に前記部品が装着された場合に、装着された前記部品から当該部品の識別情報を取得し、取得した前記識別情報に対応する前記改変情報を取得する。
【００１５】
請求項９記載の発明は、前記機器は、自身に前記部品が装着された場合、装着された前記部品の識別情報に対応する前記改変情報に前記正規属性が付加されていなければ、前記部品の使用を制限するために必要な処理を行ない、前記正規属性が付加されていれば、前記部品の使用を制限しない。
【００１６】
請求項１０記載の発明は、前記部品は、自身の属性を記憶する記憶部を有し、前記機器は、前記記憶部に正規な改変が行なわれたことを示す正規属性が記憶されているか否かに関わらず、装着された部品の識別情報に対応付けられた前記改変情報に前記正規属性が付加されているか否かに基づいて、前記部品の使用を制限するために必要な処理を行なう。
【００１７】
請求項１１記載の発明は、前記機器は、ユーザに情報を通知する通知部を有し、前記部品の使用を制限するために必要な処理は、前記通知部により、前記部品に改変がある旨を通知する処理を含む。
【００１８】
請求項１２記載の発明は、前記部品の使用を制限するために必要な処理は、前記機器が、自身に装着された部品の使用を禁止する処理を含む。
【発明の効果】
【００１９】
請求項１記載の発明によれば、部品自体が有する情報が捏造されても、部品に対する改変を管理可能にできる。
【００２０】
請求項２記載の発明によれば、機器に装着されていない状態でも独立して改変情報を送信できる。
【００２１】
請求項３記載の発明によれば、部品自体が有する情報が捏造されても、部品に対する改変を管理可能にできる。
【００２２】
請求項４記載の発明によれば、正規な改変を管理できる。
【００２３】
請求項５記載の発明によれば、外部からの正規情報の受信をトリガーとして、正規属性を付加できる。
【００２４】
請求項６記載の発明によれば、機器が主導して、管理サーバから改変情報を取得できる。
【００２５】
請求項７記載の発明によれば、部品が主導して、管理サーバから改変情報を取得できる。
【００２６】
請求項８記載の発明によれば、機器内に設けられた管理部内で、改変を管理できる。
【００２７】
請求項９記載の発明によれば、正規か否かを区別して、改変を管理できる。
【００２８】
請求項１０記載の発明によれば、部品の記憶部が不正に改竄されていても関係なく、改変を管理できる。
【００２９】
請求項１１記載の発明によれば、不正な改変があることをユーザに知らせて、不正に改変された部品の使用を抑制できる。
【００３０】
請求項１２記載の発明によれば、不正な改変があった部品の使用を禁止できる。
【図面の簡単な説明】
【００３１】
【図１】本発明の技術の実施形態に係る改変管理システムの概略構成を示す図である。
【図２】画像形成装置のハードウェア構成を示すブロック図である。
【図３】トナーカートリッジのハードウェア構成を示すブロック図である。
【図４】トナーカートリッジの機能構成を示す図である。
【図５】改変管理装置の機能構成を示す図である。
【図６】トナーカートリッジによる改変通知処理の流れを示すフローチャートである。
【図７】改変管理装置による改変管理処理の流れを示すフローチャートである。
【図８】画像形成装置による部品の改変管理処理の流れを示すフローチャートである。
【図９】第２実施形態における改変管理システムの概略構成を示す図である。
【図１０】第２実施形態におけるトナーカートリッジの改変通知処理の流れを示すフローチャートである。
【図１１】第３実施形態における改変管理システムの概略構成を示す図である。
【発明を実施するための形態】
【００３２】
以下、本発明の技術の実施形態の一例を、図面を参照しつつ説明する。なお、各図面において同一又は等価な構成要素及び部分には同一の参照符号を付与している。また、図面の寸法比率は、説明の都合上誇張されており、実際の比率とは異なる場合がある。
【００３３】
（第１実施形態）
図１は、本発明の技術の実施形態に係る改変管理システムの概略構成を示す図である。
【００３４】
図１に示すように、改変管理システム１は、機器１０、部品２０及び改変管理装置（管理部）３０を有する。
【００３５】
改変管理システム１は、機器１０に装着可能な部品２０に対する改変を管理するためのシステムである。以下では、機器１０が、画像形成装置であり、部品２０が、トナーカートリッジである場合を例にして説明する。しかし、機器１０及び部品２０は、いかなるものであっても良い。例えば、機器１０が、画像形成装置である場合、部品２０は、画像形成装置に装着可能ないかなる消耗品であってもよく、トナーカートリッジの他、ドラムカートリッジ、定着器モジュール、ヒートロール、クリーニングブレード等、いかなる者でも良い。また、機器１０も、複合機、プリンタ、複写機、又はファクシミリ装置等、部品が装着可能ないかなる装置でも良い。以下では、機器１０及び部品２０の参照番号を、それぞれ、画像形成装置及びトナーカートリッジに用いて説明する。
【００３６】
画像形成装置１０は、画像形成を行なう装置であり、トナーを用いて、用紙等の記録媒体に画像を形成する。
【００３７】
トナーカートリッジ２０は、画像形成装置１０に装着可能に形成されており、内部に収容されたトナーを、画像形成装置１０に供給する。トナーカートリッジ２０は、内部のトナーが枯渇すると、画像形成装置１０から取り外され、トナーカートリッジ２０の製造元等に回収される。回収されたトナーカートリッジ２０は、再生工場４０等において、内部にトナーが再充填され、再利用可能にされる。本明細書においては、再利用のために、消耗等した部品２０に対して、消耗材を再充填したり、修理したり、改造したりすることを、改変又は再生と呼ぶ。すなわち、本実施形態のように、部品がトナーカートリッジ２０である場合、トナーを再充填（リフィル）する行為を、改変又は再生と呼ぶ。再生工場４０等において、正規にトナーカートリッジ２０が改変された場合、再生工場４０等から、正規に改変された旨を示す正規情報が改変管理装置３０に送信され、改変が正規であったことが確認される。また、本実施形態において、製造元等によらず、不正に部品２０に対して、消耗材を再充填したり、改変したり、改造したりすることも、同様に改変又は再生と呼ぶ。
【００３８】
改変管理装置３０は、画像形成装置１０とは独立して設けられた管理サーバである。
【００３９】
改変管理システム１において、部品２０は、正規又は不正に関わらず、改変されると、改変された旨を示す情報を、部品の外部に送信する。以下では、改変された旨を示す情報を、改変情報と呼ぶ。
【００４０】
改変情報は、アンテナ５０により受信され、ネットワーク６０を介して、改変管理装置３０に送信される。改変管理装置３０は、受信した改変情報を、送信元のトナーカートリッジ２０を識別するための識別情報と対応付けて、管理する。
【００４１】
機器１０は、改変されたトナーカートリッジ２０が、機器１０において再利用される際に、改変管理装置３０に記憶された改変情報等を参照して、必要に応じて、トナーカートリッジ２０の使用を制限する。詳細な流れについては、後述する。
【００４２】
なお、図１においては、画像形成装置１０から取り外されたトナーカートリッジ２０が、再生されて同じ画像形成装置１０に使用される例を示している。しかし、再生されたトナーカートリッジ２０は、同じ画像形成装置１０に再利用されなくても良い。再生されたトナーカートリッジ２０が別の画像形成装置１０に再利用される場合についても、本開示は適用できる。
【００４３】
次に、改変管理システム１の各構成のハードウェア構成について説明する。
【００４４】
図２は、画像形成装置のハードウェア構成を示すブロック図である。
【００４５】
図２に示すように、画像形成装置１０は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ストレージ１４、画像形成部１５、表示部１６及び通信インタフェース１７の各構成を有する。各構成は、バス１９を介して相互に通信可能に接続されている。
【００４６】
ＣＰＵ１１は、中央演算処理ユニットであり、各種プログラムを実行したり、各部を制御したりする。すなわち、ＣＰＵ１１は、ＲＯＭ１２又はストレージ１４からプログラムを読み出し、ＲＡＭ１３を作業領域としてプログラムを実行する。ＣＰＵ１１は、ＲＯＭ１２又はストレージ１４に記録されているプログラムにしたがって、上記各構成の制御及び各種の演算処理を行う。本実施形態では、ＲＯＭ１２又はストレージ１４には、改変管理プログラムの一部または全部が格納されている。
【００４７】
ＲＯＭ１２は、各種プログラム及び各種データを格納する。ＲＡＭ１３は、作業領域として一時的にプログラム又はデータを記憶する。ストレージ１４は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリにより構成され、オペレーティングシステム等を含む各種プログラム、及び各種データを格納する。
【００４８】
画像形成部１５は、用紙等に画像を形成する。画像形成部１５は、より詳細には、例えば、感光体、転写ベルト及び定着器等を含み、用紙等の記録媒体に画像を形成する。
【００４９】
表示部１６は、たとえば、液晶ディスプレイであり、各種の情報を表示する。表示部１６は、タッチパネル方式を採用して、操作部として機能することもできる。
【００５０】
通信インタフェース１７は、トナーカートリッジ２０及び改変管理装置３０等の他の機器と通信するためのインタフェースであり、たとえば、イーサネット（登録商標）、ＦＤＤＩ、Ｗｉ−Ｆｉ（登録商標）等の規格が用いられる。
【００５１】
図３は、トナーカートリッジのハードウェア構成を示すブロック図である。
【００５２】
図３に示すように、トナーカートリッジ２０は、ＣＰＵ２１、ＲＯＭ２２、ＲＡＭ２３、センサ２４、電源２５及び通信インタフェース２６を有する。各構成は、バス２９を介して相互に通信可能に接続されている。
【００５３】
ＣＰＵ２１、ＲＯＭ２２及びＲＡＭ２３については、図２の画像形成装置１０の構成と同様であるため、説明を省略する。
【００５４】
センサ２４は、トナーカートリッジ２０に対して、改変が行なわれたことを検出するセンサである。センサ２４は、ひずみセンサ、光センサ、電流センサ、又は磁気センサなど、いかなるセンサを適用しても良い。適用する態様により、適宜センサの種類が選択されうる。例えば、通常は開かれないトナーカートリッジ２０の固定部分の開閉を検出する場合、センサ２４として光センサが適用されうる。固定部分が開かれると、光センサが光を検知し、改変又は改変の予備動作があったことを検知する。或いは、ひずみセンサにより固定部分のひずみを検知しても良い。また、トナーカートリッジ２０内のトナー量が増加したことを検知する場合、センサ２４としては、発光素子及び受光素子が適用されうる。トナー量の増加により発光素子及び受光素子間の光が遮られ、トナー量の改変が検知される。
【００５５】
電源２５は、トナーカートリッジ２０が機器等に接続されていなくても、独立して電力が供給可能なバッテリである。バッテリとしては、一次電池又は二次電池を適用可能である。
【００５６】
通信インタフェース２６は、画像形成装置１０、改変管理装置３０及びアンテナ５０等の他の機器と通信するためのインタフェースであり、たとえば、ＬＰＷＡ（Ｌｏｗ  Ｐｏｗｅｒ  Ｗｉｄｅ  Ａｒｅａ）方式により通信を行なうＬＰＷＡ装置である。通信インタフェース２６は、イーサネット（登録商標）、ＦＤＤＩ、Ｗｉ−Ｆｉ（登録商標）等の規格が用いられても良い。
【００５７】
なお、トナーカートリッジ２０は、ＲＯＭ２２及びＲＡＭ２３に加えて、ストレージを備えても良い。
【００５８】
図４は、トナーカートリッジの機能構成を示す図である。
【００５９】
図４に示すように、トナーカートリッジ２０は、機能構成として、改変検知部２０１、通信部２０２及び記憶部２０３を有する。各機能構成は、ＣＰＵ２１がＲＯＭ２２に記憶された改変通知プログラムを読み出して、ＲＡＭ１３に展開して実行することにより実現される。各機能構成は、電源２５から供給される電力により駆動可能である。
【００６０】
改変検知部２０１は、ＣＰＵ２１及びセンサ２４により実現され、トナーカートリッジ２０に対する改変を検知する。改変検知部２０１は、実際に改変があったことを検知しても良いし、改変のための予備動作、または改変の後の事後動作を検知しても良い。
【００６１】
通信部２０２は、ＣＰＵ２１及び通信インタフェース２６により実現される。通信部２０２は、改変検知部２０１により改変が検知された場合、トナーカートリッジ２０が画像形成装置１０に装着されていない状態においても、トナーカートリッジ２０を識別するための識別情報及びトナーカートリッジ２０が改変された旨を示す改変情報を外部に送信する。本実施形態では、通信部２０２は、識別情報及び改変情報をアンテナ５０を介して送信する。通信部２０２は、例えば、ＬＰＷＡ方式により送信する。この場合、アンテナ５０は、ＬＰＷＡアンテナである。
【００６２】
記憶部２０３は、トナーカートリッジ２０の属性を記憶する。属性とは、例えば、トナーカートリッジ２０が正規品であることを示す情報である。記憶部２０３は、トナーカートリッジ２０に固有に与えられた識別情報を記憶する。また、記憶部２０３は、改変検知部２０１により改変が検知された場合、改変情報を記憶しても良い。
【００６３】
図５は、改変管理装置のハードウェア構成を示すブロック図である。
【００６４】
図５に示すように、改変管理装置３０は、ＣＰＵ３１、ＲＯＭ３２、ＲＡＭ３３、ストレージ３４、表示部３５及び通信インタフェース３６の各構成を有する。各構成は、バス３９を介して相互に通信可能に接続されている。
【００６５】
ＣＰＵ３１、ＲＯＭ３２、ＲＡＭ３３、ストレージ３４及び表示部３５については、図２の画像形成装置１０の構成と同様であるため、説明を省略する。
【００６６】
通信インタフェース３６は、画像形成装置１０、トナーカートリッジ２０及び再生工場４０内の通信設備等の他の機器と通信するためのインタフェースであり、たとえば、イーサネット（登録商標）、ＦＤＤＩ、Ｗｉ−Ｆｉ（登録商標）等の規格が用いられる。
【００６７】
次に、各構成の作用について説明する。
【００６８】
図６は、トナーカートリッジによる改変通知処理の流れを示すフローチャートである。ＣＰＵ２１がＲＯＭ２２に記憶された改変通知プログラムを読み出して、ＲＡＭ２３に展開して実行することにより、改変通知処理が行なわれる。
【００６９】
まず、ＣＰＵ２１は、改変検知部２０１として、改変が有ったか否か判断する（ステップＳ１０１）。改変がない場合（ステップＳ１０１：ＮＯ）、ＣＰＵ２１は、改変の有無の監視を続ける。改変があった場合（ステップＳ１０１：ＹＥＳ）、ＣＰＵ２１は、記憶部２０３に記憶されている識別情報と、改変があった旨を示す改変情報とを、アンテナ５０に送信する（ステップＳ１０２）。これにより、トナーカートリッジ２０は、自身が、画像形成装置１０から取り外されて独立して存在している場合でも、画像形成装置１０の電力を使用することなく、自身の電源２５の電力を用いて改変情報を送信する。
【００７０】
図７は、改変管理装置による改変管理処理の流れを示すフローチャートである。ＣＰＵ３１がＲＯＭ３２又はストレージ３４に記憶された改変通知プログラムを読み出して、ＲＡＭ３３に展開して実行することにより、改変管理処理が行なわれる。
【００７１】
改変管理装置３０のＣＰＵ３１は、改変情報を受信したか否か判断する（ステップＳ２０１）。改変情報を受信しない場合（ステップＳ２０１：ＮＯ）、ＣＰＵ３１は、ステップＳ２０６の処理に進む。改変情報を受信した場合（ステップＳ２０１：ＹＥＳ）、ＣＰＵ３１は、改変情報と、当該改変情報と共に受信された識別情報とをストレージ３４に登録する（ステップＳ２０２）。識別情報は、改変情報の送信元であるトナーカートリッジ２０を識別するための情報である。
【００７２】
ＣＰＵ３１は、登録した識別情報について、正規情報を受信したか否か判断する（ステップＳ２０３）。ここで、正規情報は、トナーカートリッジ２０が正規に再生された場合に、正規な再生を行う再生工場４０から改変管理装置３０に送信され、再生されたトナーカートリッジ２０の識別番号に対応付けて登録される。正規情報は、ステップＳ２０１において改変情報を受信した後で、再生工場４０から改変管理装置３０に送信される場合もある。従って、ステップＳ２０３においては、ＣＰＵ３１は、予め定められた時間、正規情報を受信するか待機しても良い。この場合、予め定められた時間は、例えば、トナーカートリッジ２０において改変が検知されてから、正規な再生が完了して、再生工場４０から正規情報が送信されるまでの時間として設定される。
【００７３】
正規情報が登録されている場合（ステップＳ２０３：ＹＥＳ）、ＣＰＵ３１は、ステップＳ２０２で登録した改変情報に、正規な改変である旨の正規属性を付加する（ステップＳ２０４）。一方、正規情報が登録されていない場合（ステップＳ２０３：ＮＯ）、ＣＰＵ３１は、ステップＳ２０２で登録した改変情報に、不正な改変である旨の不正属性を付加する（ステップＳ２０５）。なお、ステップＳ２０５を省略して、正規な改変と分かる場合に、正規属性を付加するだけでも良い。
【００７４】
ステップＳ２０４又はステップＳ２０５までが、トナーカートリッジ２０が改変されたことに応じて、改変管理装置３０が改変情報を登録する段階である。
【００７５】
そして、ＣＰＵ３１は、登録した改変情報について、画像形成装置１０から照会要求があるか否か判断する（ステップＳ２０６）。照会要求がない場合（ステップＳ２０６：ＮＯ）、ＣＰＵ３１は、改変管理処理をステップＳ２０１から繰り返す。
【００７６】
照会要求が有る場合（ステップＳ２０６：ＹＥＳ）、ＣＰＵ３１は、照会要求の対象として受信した識別番号に対応する改変情報を、照会要求元の画像形成装置１０に送信する（ステップＳ２０７）。改変情報には、ステップＳ２０４又はステップＳ２０５で付加された属性情報も含まれる。そして、ＣＰＵ３１は、改変管理処理をステップＳ２０１から繰り返す。
【００７７】
図８は、画像形成装置による部品の改変管理処理の流れを示すフローチャートである。上述の通り、本実施形態では、部品はトナーカートリッジ２０である。画像形成装置１０のＣＰＵ１１がＲＯＭ１２又はストレージ１４に記憶された改変管理プログラムを読み出して、ＲＡＭ１３に展開して実行することにより、改変管理処理が行なわれる。
【００７８】
ＣＰＵ１１は、トナーカートリッジ２０が画像形成装置１０に装着されたか否か判断する（ステップＳ３０１）。トナーカートリッジ２０が装着されていない場合（ステップＳ３０１：ＮＯ）、ＣＰＵ１１は、改変管理処理をステップＳ３０１から繰り返す。
【００７９】
トナーカートリッジ２０が装着された場合（ステップＳ３０１：ＹＥＳ）、ＣＰＵ１１は、装着されたトナーカートリッジ２０識別番号を参照する（ステップＳ３０２）。ここで、ＣＰＵ１１は、例えば、通信インタフェース１７及びトナーカートリッジ２０の通信インタフェース２６を介して、トナーカートリッジ２０のＲＯＭ２２に記憶された識別情報を取得する。
【００８０】
ＣＰＵ１１は、取得した識別情報を改変管理装置３０に送信し、改変情報を問い合わせる（ステップＳ３０３）。改変情報を問い合わせると、上述のステップＳ２０７により、改変管理装置３０から照会結果が送信される。
【００８１】
ＣＰＵ１１は、問い合わせの結果として、改変管理装置３０から送信された改変情報に、正規属性又は不正属性が付加されているかに基づいて、正規な改変か否かを判断する（ステップＳ３０４）。改変情報に正規情報が付加されており、トナーカートリッジ２０が正規に改変されていた場合（ステップＳ３０４：ＹＥＳ）、ＣＰＵ１１は、装着されたトナーカートリッジ２０の使用を許可する（ステップＳ３０５）。これにより、画像形成装置１０は、ユーザからの指示に基づき、画像形成が実行可能となる。
【００８２】
改変情報に不正属性が付加されており、トナーカートリッジ２０が正規に改変されていない場合（ステップＳ３０４：ＮＯ）、ＣＰＵ１１は、装着されたトナーカートリッジ２０の使用を制限するために必要な処理を行なう（ステップＳ３０６）。ここで、使用を制限するために必要な処理は、例えば、トナーカートリッジ２０を用いた印刷を不可能にすることである。使用を制限するために必要な処理は、表示部１６に、不正に改変されたトナーカートリッジ２０である旨の警告を表示することであっても良い。警告は、音声等他の手段により実現されても良い。この場合、ハードウェア構成として、画像形成装置１０はスピーカーを備える。このように、ＣＰＵ１１は、直接的又は間接的にトナーカートリッジ２０の使用を制限する。なお、不正な改変において、トナーカートリッジ２０のＲＯＭ２２が不正に書き替えられ、ＲＯＭ２２に正規情報又は正規属性が記憶される場合がある。このような場合でも、ＣＰＵ１１は、ＲＯＭ２２の記憶内容に関わらず、改変情報に正規属性が付加されるか否かに基づいて、使用を制限するために必要な処理を行う否かを決定する。
【００８３】
ＣＰＵ１１は、ステップＳ３０５又はステップＳ３０６を完了すると、改変管理処理をステップＳ３０１から繰り返す。
【００８４】
（第２実施形態）
第１実施形態では、トナーカートリッジ２０が画像形成装置１０に装着される際に、画像形成装置１０が改変管理装置３０に改変情報を照会している。第２実施形態では、トナーカートリッジ２０が、改変管理装置３０に改変情報を照会する。
【００８５】
図９は、第２実施形態における改変管理システムの概略構成を示す図である。
【００８６】
図９に示すように、トナーカートリッジ２０は、改変を検知した場合、及び、画像形成装置１０に装着された場合に、アンテナ５０を介して、改変管理装置３０と通信を行う。その他の構成については、第１実施形態と同様であるので説明を省略する。
【００８７】
第２実施形態におけるトナーカートリッジ２０の作用について説明する。
【００８８】
図１０は、第２実施形態におけるトナーカートリッジの改変通知処理の流れを示すフローチャートである。トナーカートリッジ２０のＣＰＵ２１がＲＯＭ２２に記憶された改変通知プログラムを読み出して、ＲＡＭ２３に展開して実行することにより、改変通知処理が行なわれる。なお、図１０に示す改変通知処理は、トナーカートリッジ２０が、画像形成装置１０に装着されている状態から始まる。
【００８９】
ＣＰＵ２１は、トナーカートリッジ２０が画像形成装置１０から取り外されたか否か判断する（ステップＳ４０１）。トナーカートリッジ２０の取り外しは、例えば、センサ２４により、取り外しに伴う光、形状（歪み）又は電流の変化等に基づいて検知可能である。トナーカートリッジ２０が画像形成装置１０から取り外されない場合（ステップＳ４０１：ＮＯ）、ＣＰＵ２１は、トナーカートリッジ２０が画像形成装置１０から取り外されるまで待機する。
【００９０】
トナーカートリッジ２０が画像形成装置１０から取り外された場合（ステップＳ４０１：ＹＥＳ）、ＣＰＵ２１は、トナーカートリッジ２０が取り外された旨を通知する（ステップＳ４０２）。通知先は、例えば、改変管理装置３０である。この場合、ＣＰＵ２１は、通信インタフェース２６により、アンテナ５０を介して、改変管理装置３０に取り外された旨の信号を送信する。取り外された旨の信号をトリガーとして、改変管理装置３０は、トナーカートリッジ２０に改変があるか否かを監視し始める。もし取り外された旨の信号がないのに、取り外されていないはずのトナーカートリッジ２０から改変情報等を受信した場合、改変管理装置３０は、改変情報の送信がエラーであったと判断可能である。
【００９１】
続けて、ＣＰＵ２１は、改変検知部２０１として、改変が有ったか否か判断する（ステップＳ４０３）。改変がない場合（ステップＳ４０３：ＮＯ）、ＣＰＵ２１は、ステップＳ４０５の処理に進む。改変があった場合（ステップＳ４０３：ＹＥＳ）、ＣＰＵ２１は、記憶部２０３に記憶されている識別情報と、改変があった旨を示す改変情報とを、アンテナ５０に送信する（ステップＳ４０４）。これにより、トナーカートリッジ２０は、自身が、画像形成装置１０から独立して存在している場合でも、電源２５の電力を用いて改変情報を送信する。
【００９２】
ＣＰＵ２１は、トナーカートリッジ２０が再び画像形成装置１０に装着されたか否か判断する（ステップＳ４０５）。画像形成装置１０にトナーカートリッジ２０が装着されていない場合（ステップＳ４０５：ＮＯ）、ＣＰＵ２１は、ステップＳ４０３の処理に戻る。
【００９３】
画像形成装置１０にトナーカートリッジ２０が装着された場合（ステップＳ４０５：ＹＥＳ）、ＣＰＵ２１は、改変管理装置３０に改変情報を問い合わせる（ステップＳ４０６）。ここで、ＣＰＵ２１は、ＲＯＭ２２に記憶されたトナーカートリッジ２０を識別するための識別情報を改変管理装置３０に送信し、改変情報を問い合わせる。
【００９４】
ＣＰＵ２１は、改変情報を受信したか否か判断する（ステップＳ４０７）。改変情報を受信しない場合（ステップＳ４０７：ＮＯ）、ＣＰＵ２１は、改変情報を受信するまで待機する。改変情報を受信した場合（ステップＳ４０７：ＹＥＳ）、ＣＰＵ２１は、受信した改変情報をそのまま、トナーカートリッジ２０が取り付けられた画像形成装置１０に送信する（ステップＳ４０８）。
【００９５】
画像形成装置１０は、図８に示すステップＳ３０４以降を実行し、改変の正規または不正に応じて、トナーカートリッジ２０の使用を許可又は制限する。
【００９６】
（第３実施形態）
第１実施形態では、改変管理装置３０が独立した装置として存在している。第３実施形態では、改変管理装置３０の機能が、改変管理部として、画像形成装置１０に組み込まれている。
【００９７】
図１１は、第３実施形態における改変管理システムの概略構成を示す図である。
【００９８】
図１１に示すように、第３実施形態においては、トナーカートリッジ２０において改変があると、トナーカートリッジ２０は改変情報を送信する。送信された改変情報は、アンテナ５０を介して、画像形成装置１０内の改変管理部に送信される。また、再生工場４０において、正規にトナーカートリッジ２０が改変された場合、改変情報及び正規情報は、再生工場４０から画像形成装置１０内の改変管理部に送信される。
【００９９】
上記の処理は、専用のハードウェア回路によっても実現することもできる。この場合には、１つのハードウェアで実行されてもよいし、複数のハードウェアで実行されてもよい。
【０１００】
また、画像形成装置１０、トナーカートリッジ２０及び改変管理装置（改変管理部）３０を動作させるプログラムは、ＵＳＢ（Ｕｎｉｖｅｒｓａｌ  Ｓｅｒｉａｌ  Ｂｕｓ）メモリ、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、メモリ又はストレージ等に転送され記憶される。また、このプログラムは、たとえば、単独のアプリケーションソフトとして提供されてもよいし、画像形成装置１０、トナーカートリッジ２０又は改変管理装置（改変管理部）３０の一機能としてその各装置のソフトウェアに組み込んでもよい。
【符号の説明】
【０１０１】
１     改変管理システム
１０   機器（画像形成装置）
１１、２１、３１     ＣＰＵ
１２、２２、３２     ＲＯＭ
１３、２３、３３     ＲＡＭ
１４、３４    ストレージ
１５   画像形成部
１６   表示部
１７   通信インタフェース
１９、２９、３９     バス
２０   部品（トナーカートリッジ）
２４   センサ
２５   電源
２６   通信インタフェース
３０   改変管理装置
３５   表示部
３６   通信インタフェース
４０   再生工場
５０   アンテナ
６０   ネットワーク
２０１ 改変検知部
２０２ 通信部
２０３ 記憶部
【図１】
2020027200.tif 000003
【図２】
2020027200.tif 000004
【図３】
2020027200.tif 000005
【図４】
2020027200.tif 000006
【図５】
2020027200.tif 000007
【図６】
2020027200.tif 000008
【図７】
2020027200.tif 000009
【図８】
2020027200.tif 000010
【図９】
2020027200.tif 000011
【図１０】
2020027200.tif 000012
【図１１】
2020027200.tif 000013